(57)【要約】【課題】  コストを抑えた上で、会議の前準備をサポートする複合機を提供する。【解決手段】  ユーザインターフェース部１０１、日時管理部１０２、読取部１０３、印刷部１０４から構成され、ユーザインターフェース部１０１で要求を受け付けた後、読取部１０３で原稿を読み取り、日時管理部１０２で指定された時間まで待機して、印刷部１０４で読み取った情報を印刷する複合機。【選択図】        図２
2006173686.tif 000002
【特許請求の範囲】
【請求項１】
ユーザの要求を受け付けるユーザインターフェース部と、待機する時間を指定する日時管理部と、原稿を読み取る読取部と、読み取った情報を印刷する印刷部と、を備え、前記ユーザインターフェース部により要求を受け付けた後、前記読取部により原稿を読み取り、該原稿を前記日時管理部により指定された時間まで待機し、前記印刷部により読み取った情報を印刷することを特徴とする複合機。
【請求項２】
請求項１記載の複合機において、フォルダの作成及び削除、フォルダ名、時刻、部数を含む設定を実施するフォルダ管理部を更に備えたことを特徴とする複合機。
【請求項３】
請求項２記載の複合機において、コピーの要求を受けた時点で、印刷が可能か否か検知する機械状態検知部を更に備えたことを特徴とする複合機。
【発明の詳細な説明】
【技術分野】
【０００１】
本発明は、コピー機能、ファクシミリ機能、プリンタ機能などを併せ持つ複合機に関する。
【背景技術】
【０００２】
会議用に資料を準備するという作業は、ビジネスで頻繁に発生する作業である。会議で用いる資料のために、ＰＣを使って電子ファイルを作成する作業は、用意周到に前もって実施されているのが通常である。しかし、いざ会議の時間になると、前もって作成しておいた電子ファイルを紙資料として、人数分用意する必要があり、この作業は会議の直前になって、慌てて実施されることが多い。
コピー機能によって会議をサポートする技術としては、例えば、特許文献１が挙げられる。この技術は、時刻に従って進行を行い、会話の録音や電子黒板上の画情報の蓄積を行う。
また、例えば、特許文献２では、個人用ＰＨＳにアダプタを取り付けてデータ通信を行い、サーバから基地局を介して会議に必要なデータを個人端末にダウンロードする。
【特許文献１】特許第３２４６１５７号
【特許文献２】特開２００２−１１１９０２公報
【発明の開示】
【発明が解決しようとする課題】
【０００３】
特許文献１では、会議自体のサポートは行うのだが、会議の前準備のサポートは提供していない。また、特許文献２では、インフラ環境を構築するコストが高い。
本発明は、コストを抑えた上で、会議の前準備をサポートする複合機を提供することを目的とする。会議の前準備とは、会議に用いる紙資料の準備を指す。
【課題を解決するための手段】
【０００４】
上記目的を達成するために、請求項１記載の発明は、ユーザの要求を受け付けるユーザインターフェース部と、待機する時間を指定する日時管理部と、原稿を読み取る読取部と、読み取った情報を印刷する印刷部と、を備え、前記ユーザインターフェース部により要求を受け付けた後、前記読取部により原稿を読み取り、該原稿を前記日時管理部により指定された時間まで待機し、前記印刷部により読み取った情報を印刷することを特徴とする。
請求項２記載の発明は、請求項１記載の複合機において、フォルダの作成及び削除、フォルダ名、時刻、部数を含む設定を実施するフォルダ管理部を更に備えたことを特徴とする。
請求項３記載の発明は、請求項２記載の複合機において、コピーの要求を受けた時点で、印刷が可能か否か検知する機械状態検知部を更に備えたことを特徴とする。
【発明の効果】
【０００５】
本発明の複合機によって、会議の準備を確実に進めることができ、会議を効率良く実施することができる。
また、１つの会議で必要となる資料が、ばらばらに用意されてくるのを防ぐことができる。
また、機械の状態による印刷の失敗を未然に防ぐことができ、会議の運営に支障をきたす事象を回避することができる。
【発明を実施するための最良の形態】
【０００６】
以下、本発明の実施の形態を図面に従って説明する。
図１は本発明の実施の形態に係る複合機ブロック構成図である。
本発明が該当する複合機の電気的接続を、図１を参照して説明する。図１に示すように、複合機は、マイコンの主体として各部を集中的に制御するＣＰＵ１を内蔵している。このＣＰＵ１には、画像バス２を介して、プログラム等の固定的データを予め格納するＲＯＭ３、各種データを書き換え自在に格納するＲＡＭ４、データを消滅させることなく格納する不揮発性ＲＡＭであるＮＶＲＡＭ５が接続されている。
また、画像バス２には、ネットワーク２０との接続を担う通信制御部６、パネル制御部７を介してユーザとのインターフェースを司るＬＣＤタッチパネルを有する操作パネル８、エンジン制御部９を介してイメージデータの入出力（紙原稿の読み取りと転写紙への印刷）をスキャナ部やプリンタ部に対して実行させるスキャンプリントエンジン１０、ディスクドライバ１１を介してイメージデータや制御プログラム等の記憶蓄積に利用されるＨＤＤである記憶装置１２、公衆回線等を通じて外部機器とのデータ通信を可能とするモデム１３が接続されている。
図２は本発明の第１の実施形態に係るソフトウェア構造の概要図である。ユーザの要求を受け付けるユーザインターフェース部１０１と、待機する時間を指定する日時管理部１０２と、原稿を読み取る読取部１０３と、読み取った情報を印刷する印刷部１０４とを備える。
【０００７】
図３は第１の実施形態のソフトウェア構造におけるコピーを実行したときのシーケンス図である。
日時を指定できるコピー機能を用意する。日時を指定して、コピーを実行することによって、読取処理は即時に行い、印刷処理は指定した日時で実行するようにする。会議の日時を指定してコピーを実行しておけば、会議の時間に合わせて、資料が印刷されることとなる。
日時管理部１０２は、ソフトウェアのタイマで充分であるので、時刻を指定したコピー機能のために、新しいハードウェアを追加する必要はなく、コストを抑えることができる。
図４は本発明の第２の実施形態に係るソフトウェア構造の概要図である。ユーザの要求を受け付けるユーザインターフェース部１０１と、待機する時間を指定する日時管理部１０２と、原稿を読み取る読取部１０３と、読み取った情報を印刷する印刷部１０４と、フォルダの作成及び削除、フォルダ名、時刻、部数を含む設定を実施するフォルダ管理部１０５を備える。
図５は第２の実施形態のソフトウェア構造におけるコピーを実行したときのシーケンス図である。
フォルダ管理部１０５によって、各会議用の異なるフォルダを作成して、情報を格納することができる。フォルダに日時を指定することができ、指定された時間になったら、格納されている情報を全て印刷する。この機能によって、会議で必要となる資料を随時格納していき、必要なタイミングでまとめて印刷することができる。
従って、１つの会議で必要となる資料が、ばらばらに用意されてくるのを防ぐことができる。特に、資料を提供する人が複数人いる場合でも、各人は作成した資料をフォルダに格納しておくだけでよい。あとは、会議の時間に合わせて、資料がまとめて印刷される。
また、第２の実施形態の複合機は、新しいハードウェアを追加する必要はなく、ソフトウェアの対応だけでよいので、コストを抑えることができる。
【０００８】
図６は本発明の第３の実施形態に係るソフトウェア構造の概要図である。ユーザの要求を受け付けるユーザインターフェース部１０１と、待機する時間を指定する日時管理部１０２と、原稿を読み取る読取部１０３と、読み取った情報を印刷する印刷部１０４と、フォルダの作成及び削除、フォルダ名、時刻、部数を含む設定を実施するフォルダ管理部１０５と、コピーの要求を受けた時点で、印刷が可能か否か検知する機械状態検知部１０６を備える。
図７は第３の実施形態のソフトウェア構造におけるコピーを実行したときのシーケンス図である。
機械状態検知部１０６により、コピーの要求を受けた時点で、今の機械の状態（トナー残量、用紙量）では印刷が成功しないことを検知し、ユーザにその旨を通知する。
いざ会議の時間になって印刷を開始したときに、サプライ量の不足で資料が用意できないと、会議を時間通りに始められないことになるが、コピーの要求を受けた時点で、必要となるサプライの量（用紙量など）を計算し、不足するようならユーザにその旨を通知する。
第３の実施形態の複合機によって、機械の状態による印刷の失敗を未然に防ぐことができ、会議の運営に支障をきたす事象を回避することができる。
【図面の簡単な説明】
【０００９】
【図１】本発明の実施の形態に係る複合機ブロック構成図。
【図２】実施例１のソフトウェア構造の概要図。
【図３】実施例１のソフトウェア構造におけるコピーを実行したときのシーケンス図。
【図４】実施例２のソフトウェア構造の概要図。
【図５】実施例２のソフトウェア構造におけるコピーを実行したときのシーケンス図。
【図６】実施例３のソフトウェア構造の概要図。
【図７】実施例３のソフトウェア構造におけるコピーを実行したときのシーケンス図。
【符号の説明】
【００１０】
１０１  ユーザインターフェース部
１０２  日時管理部
１０３  読取部
１０４  印刷部
【図１】
2006173686.tif 000003
【図２】
2006173686.tif 000004
【図３】
2006173686.tif 000005
【図４】
2006173686.tif 000006
【図５】
2006173686.tif 000007
【図６】
2006173686.tif 000008
【図７】
2006173686.tif 000009